(57)【要約】【課題】チケット販売に際して各チケットの購入者あるいは予約者のイベント会場や施設への推奨到着時刻、推奨経路をイベント会場側や施設運営者側がコントロールする。【解決手段】チケット販売サーバ５０はチケット販売時に、経路探索サーバ３０にチケット情報を送信し、チケット情報に基づく推奨到着時刻と推奨目的地とを含む推奨情報の生成を要求する。経路探索サーバ３０は、チケット情報に基づいて推奨到着時刻と推奨目的地とを含む推奨情報を生成する。チケット販売サーバ５０はチケットの購入者または予約者が経路探索サーバにアクセスするためのアクセス情報を発行する。アクセス情報には経路探索サーバ３０へのリンク情報とチケット情報などが含まれる。経路探索サーバ３０はアクセス情報に基づいたチケットアクセスを受け付けると、推奨情報に基づいて、推奨到着時刻に推奨目的地に到着する推奨経路を探索してアクセス元に案内する。【選択図】図２
2011043507.tif 000002
【特許請求の範囲】
【請求項１】
所定の場所で所定の時刻に開催されるイベントに参加するためのチケットを販売するチケット販売サーバと、所望の出発地から目的地までの推奨経路を探索して案内する経路探索サーバと、を含むチケット販売支援機能を有するナビゲーションシステムであって、
チケット販売サーバはチケット販売時に、前記経路探索サーバにチケット情報を送信し、当該チケット情報に基づく推奨到着時刻と推奨目的地とを含む推奨情報の生成を要求する推奨情報要求手段と、当該チケットの購入者または予約者が前記経路探索サーバにアクセスするためのアクセス情報を発行するアクセス情報発行手段と、を備え、
経路探索サーバは、前記チケット情報に基づいて一定数のチケット毎に異なる推奨到着時刻を設定し、該推奨到着時刻と推奨目的地とを含む推奨情報を生成する推奨情報生成手段と、前記アクセス情報に基づいたチケットアクセスを受け付けると、前記推奨情報に基づいて、推奨到着時刻に推奨目的地に到着する推奨経路を探索する経路探索手段と、を備え、
前記推奨情報生成手段が生成した推奨到着時刻と推奨目的地とを含む推奨情報を前記チケット販売サーバに送信し、
前記アクセス情報発行手段は、前記経路探索サーバへのアクセスのためのリンク情報と前記推奨情報を含むアクセス情報を付加したチケットを発行し、
前記経路探索サーバは、前記アクセス情報に基づくチケットアクセスを受け付けると、推奨到着時刻に推奨目的地に到着する推奨経路を探索し、前記推奨経路をアクセス元に案内することを特徴とするチケット販売支援機能を有するナビゲーションシステム。
【請求項２】
前記推奨到着時刻として、一定数の推奨目的地における入場口を有するチケット毎に異なる時刻を設定することを特徴とする請求項１に記載のチケット販売支援機能を有するナビゲーションシステム。
【請求項３】
前記アクセス情報は二次元コードであり、チケットに印刷されることを特徴とする請求項１または請求項２に記載のチケット販売支援機能を有するナビゲーションシステム。
【請求項４】
前記チケット販売サーバは、チケット販売時に、少なくとも前記経路探索サーバへのアクセスのための予約ＩＤを含むアクセス情報を発行し、前記経路探索サーバに前記予約ＩＤを付加してチケット情報を送信して当該チケット情報に基づく推奨到着時刻と推奨目的地とを含む推奨情報の生成を要求し、
前記経路探索サーバは前記推奨情報生成手段が生成した推奨到着時刻と推奨目的地とを含む推奨情報を前記予約ＩＤに対応付けて推奨情報データベースに記憶し、
前記経路探索サーバは、前記アクセス情報に基づくチケットアクセスを受け付けると、前記予約ＩＤに基づいて該当する推奨到着時刻と推奨目的地とを抽出し、推奨到着時刻に推奨目的地に到着する推奨経路を探索し、該推奨経路をアクセス元に案内することを特徴とする請求項１または請求項２に記載のチケット販売支援機能を有するナビゲーションシステム。
【請求項５】
所定の場所で所定の時刻に開催されるイベントに参加するためのチケットを販売するチケット販売サーバにネットワークを介して接続され、所望の出発地から目的地までの推奨経路を探索して案内する経路探索サーバであって、
チケット販売サーバはチケット販売時に、前記経路探索サーバにチケット情報を送信し、当該チケット情報に基づく推奨到着時刻と推奨目的地とを含む推奨情報の生成を要求する推奨情報要求手段と、当該チケットの購入者または予約者が前記経路探索サーバにアクセスするためのアクセス情報を発行するアクセス情報発行手段と、を備え、
経路探索サーバは、前記チケット情報に基づいて一定数のチケット毎に異なる推奨到着時刻を設定し、該推奨到着時刻と推奨目的地とを含む推奨情報を生成する推奨情報生成手段と、前記アクセス情報に基づいたチケットアクセスを受け付けると、前記推奨情報に基づいて、推奨到着時刻に推奨目的地に到着する推奨経路を探索する経路探索手段と、を備え、
前記推奨情報生成手段が生成した推奨到着時刻と推奨目的地とを含む推奨情報を前記チケット販売サーバに送信し、
前記アクセス情報発行手段は、前記経路探索サーバへのアクセスのためのリンク情報と前記推奨情報を含むアクセス情報を付加したチケットを発行し、
前記経路探索サーバは、前記アクセス情報に基づくチケットアクセスを受け付けると、推奨到着時刻に推奨目的地に到着する推奨経路を探索し、前記推奨経路をアクセス元に案内することを特徴とする経路探索サーバ。
【請求項６】
前記推奨到着時刻として、一定数の推奨目的地における入場口を有するチケット毎に異なる時刻を設定することを特徴とする請求項５に記載の経路探索サーバ。
【請求項７】
前記アクセス情報は二次元コードで前記チケットに印刷され、前記経路探索サーバは前記アクセス情報に付加すべき前記推奨情報をチケット販売サーバに送信することを特徴とする請求項５または請求項６に記載の経路探索サーバ。
【請求項８】
前記チケット販売サーバは、チケット販売時に、少なくとも前記経路探索サーバへのアクセスのための予約ＩＤを含むアクセス情報を発行し、前記経路探索サーバに前記予約ＩＤを付加してチケット情報を送信して当該チケット情報に基づく推奨到着時刻と推奨目的地とを含む推奨情報の生成を要求し、
前記経路探索サーバは前記推奨情報生成手段が生成した推奨到着時刻と推奨目的地とを含む推奨情報を前記予約ＩＤに対応付けて推奨情報データベースに記憶し、
前記経路探索サーバは、前記アクセス情報に基づくチケットアクセスを受け付けると、前記予約ＩＤに基づいて該当する推奨到着時刻と推奨目的地とを抽出し、推奨到着時刻に推奨目的地に到着する推奨経路を探索し、該推奨経路をアクセス元に案内することを特徴とする請求項５または請求項６に記載の経路探索サーバ。
【請求項９】
チケット販売サーバはチケット販売時に、前記経路探索サーバにチケット情報を送信し、当該チケット情報に基づく推奨到着時刻と推奨目的地とを含む推奨情報の生成を要求する推奨情報要求手段と、当該チケットの購入者または予約者が前記経路探索サーバにアクセスするためのアクセス情報を発行するアクセス情報発行手段と、を備え、
所定の場所で所定の時刻に開催されるイベントに参加するためのチケットを販売するチケット販売サーバにネットワークを介して接続され、所望の出発地から目的地までの推奨経路を探索して案内する経路探索サーバを用いた推奨経路案内方法であって、
前記アクセス情報発行手段が、前記経路探索サーバへのアクセスのためのリンク情報と前記推奨情報を含むアクセス情報を付加したチケットを発行するステップと、
経路探索サーバは、推奨情報生成手段が、前記チケット情報に基づいて一定数のチケット毎に異なる推奨到着時刻を設定し、該推奨到着時刻と推奨目的地とを含む推奨情報を生成して前記チケット販売サーバに送信するステップと、前記アクセス情報に基づいたチケットアクセスを受け付けると、経路探索手段が、前記推奨情報に基づいて、推奨到着時刻に推奨目的地に到着する推奨経路を探索し、該推奨経路をアクセス元に案内するステップを有することを特徴とする推奨経路案内方法。
【請求項１０】
前記推奨到着時刻として、一定数の推奨目的地における入場口を有するチケット毎に異なる時刻を設定することを特徴とする請求項９に記載の推奨経路案内方法。
【請求項１１】
前記アクセス情報は二次元コードで前記チケットに印刷され、前記経路探索サーバは前記アクセス情報に付加すべき前記推奨情報をチケット販売サーバに送信するステップを有することを特徴とする請求項９または請求項１０に記載の推奨経路案内方法。
【請求項１２】
前記チケット販売サーバは、チケット販売時に、少なくとも前記経路探索サーバへのアクセスのための予約ＩＤを含むアクセス情報を発行し、前記経路探索サーバに前記予約ＩＤを付加してチケット情報を送信して当該チケット情報に基づく推奨到着時刻と推奨目的地とを含む推奨情報の生成を要求し、
前記経路探索サーバは、前記推奨情報生成手段が生成した推奨到着時刻と推奨目的地とを含む推奨情報を前記予約ＩＤに対応付けて推奨情報データベースに記憶するステップと、
前記経路探索サーバが、前記アクセス情報に基づくチケットアクセスを受け付けると、経路探索手段が前記予約ＩＤに基づいて該当する推奨到着時刻と推奨目的地とを抽出し、推奨到着時刻に推奨目的地に到着する推奨経路を探索するステップを有し、該推奨経路をアクセス元に案内することを特徴とする請求項９または請求項１０に記載の推奨経路案内方法。
【発明の詳細な説明】
【技術分野】
【０００１】
本発明は、イベント会場、劇場、競技場などの施設への入場チケットを販売する際に、チケット販売支援機能を有するナビゲーションシステム、経路探索サーバ、および推奨経路案内方法に関するものであり、特に、チケット販売に際して各チケットの購入あるいは予約者のイベント会場や施設への推奨到着時刻、推奨経路をイベント会場側や施設運営者側がコントロールすることにより、会場や施設周辺の混雑をできるだけ分散できるようにしたチケット販売支援機能を有するナビゲーションシステム、経路探索サーバおよび推奨経路案内方法に関するものである。
【背景技術】
【０００２】
従来、イベント会場や劇場、競技場などの施設へ入場するための入場券等のチケットを利用者に販売するためのシステムとして、利用者がパーソナルコンピュータ、携帯電話等の端末機器から、インターネット等のネットワークを経由して、チケットを販売する仮想店舗等のサイトにアクセスして、チケットを予約したり、申し込んだりすることのできるチケット販売システムが提供されている。このようなチケット販売システムは、例えば下記の特許文献１（特開２００１−１４８３７号公報）に開示されている。
【０００３】
このようなチケット販売システムでは、例えば、コンサートのチケットを予約するために、携帯端末からチケットを予約して取得することができるようになっている。この場合、利用者が携帯端末からインターネットを介して発券サーバにアクセスし、チケットの種類等の情報を送信すると、前記発券サーバはチケットの記載事項を表すデータと暗証番号とを含むデジタルチケットにデジタル署名を施し、これをさらに２次元バーコードに変換し、電子チケットとして前記インターネットを介して前記携帯端末に送信する。そして、チケットを利用する場所、例えば、コンサート会場等において配設される入場管理装置が前記携帯端末の表示手段に表示される電子チケットとしての２次元バーコードを読み取り、認証すると、利用者の入場が許可されるようになっている。このような販売システムは航空券の販売などにも応用されている。
【０００４】
これにより、前記利用者は、コンサート会場の窓口、チケットセンタ等のチケット販売窓口に出向くことなく、所望のチケットを自宅等に居ながらにして予約して取得することができる。このような販売システムは、イベント会場や劇場、競技場などの施設へ入場するための入場券等の販売の他、鉄道の乗車券や航空機の搭乗券（航空券）の販売などにも応用されている。
【０００５】
ＱＲコードなどの二次元コードを雑誌や新聞などの印刷物に印刷しておき、二次元コードリーダで読み取った情報に基づいて各種のサービス受けるシステムも一般化している。ＱＲコードを利用した電子チケットもそのひとつである。その他、例えば、雑誌などに掲載される広告にＱＲコードを印刷しておき、ＱＲコードから読み取ったサイトにアクセスして広告主が提供するより詳細な情報を取得したり、広告主が運営する店舗の所在地の地図を取得したりするシステムは良く知られている。
【０００６】
このようなシステムは、例えば、下記の特許文献２（特開２００１−３１８８８６号公報）に開示されている。このシステムにおいては、コンテンツサーバは、雑誌に印刷する
紙上情報とそれに対応する詳細情報を情報提供サーバに送信し、詳細情報に対応するＱＲコードの割り当てを受ける。コンテンツサーバは雑誌に印刷情報と割当を受けたＱＲコードを印刷する。この雑誌を購入したユーザは、ＱＲコードリーダによりＱＲコードを読み取る。ＱＲコードリーダに直接的または間接的に接続されているプリンタは、読み取られたＱＲコードを情報提供サーバにネットワークを介して送信する。情報提供サーバは、プリンタより送信されてきたＱＲコードに対応する詳細情報と地図情報を、ユーザデータベースと地図データベースから読み出し、ネットワークを介してプリンタに供給する。プリンタはこの情報を紙に印刷する。
【０００７】
このような技術を前述のようなチケット販売システムに応用すれば、ＱＲコードなどの二次元コードに基づいて提供する印刷情報などの詳細情報として、チケットにイベント会場や施設で開催されるイベントの開始時刻や会場周辺の案内や混雑状況を提供（印刷）することができる。会場周辺の案内や会場への経路や地図を提供するためには、ナビゲーションシステムを連携させることが好ましい。
【０００８】
一般的なナビゲーション装置、通信型のナビゲーションシステムに使用される経路探索装置、経路探索方法は、例えば、下記の特許文献３（特開２００１−１６５６８１号公報）に開示されている。このナビゲーションシステムは、携帯ナビゲーション端末から出発地と目的地の情報を情報配信サーバに送り、情報配信サーバで道路網や交通網のデータから探索条件に合致した経路を探索して案内するように構成されている。探索条件としては、出発地から目的地までの移動手段、例えば、徒歩、自動車、鉄道と徒歩の併用などがあり、これを探索条件の１つとして経路探索する。
【０００９】
情報配信サーバは、地図データの道路（経路）をその結節点、屈曲点の位置をノードとし、各ノードを結ぶ経路をリンクとし、全てのリンクのコスト情報（距離や所要時間）をデータベースとして備えている。そして、情報配信サーバは、データベースを参照して、出発地のノードから目的地のノードに至るリンクを順次探索し、リンクのコスト情報が最小となるノード、リンクをたどって案内経路とすることによって最短の経路を携帯ナビゲーション端末に案内することができる。このような経路探索の手法としてはラベル確定法あるいはダイクストラ法と言われる手法が用いられる。上記特許文献３には、このダイクストラ法を用いた経路探索方法も開示されている。
【００１０】
交通機関を利用する経路を探索する経路探索システムは、ユーザが指定する出発日時、出発地、目的地、到着時刻等の経路探索条件に基づいて、各交通機関の運行時刻データをデータベース化した運行時刻データベースと、これに基づいて交通ネットワークをデータベース化したデータを備えている。そして、これらのデータベースを参照して、乗り継ぎ（乗り換え）を含めて出発地と目的地を結ぶ、利用可能な各交通手段（個々の電車や路線バス）を経路として順次たどり、経路探索条件に合致する案内経路（出発地駅、目的地駅、路線、列車などの交通手段）の候補を１つまたは複数提示するように構成される。経路探索条件としては更に、所要時間、乗り継ぎ回数、運賃などの条件を指定できるようにされているのが一般的である。
【００１１】
交通機関を利用した経路探索、経路案内をするナビゲーションシステムなどにおける探索用のデータは、車載用ナビゲーションシステムや歩行者用ナビゲーションシステムにおける道路ネットワークのデータと同様に交通路線の各駅をノードとし、駅間を双方向リンクとしてネットワーク化したデータの他に、各交通路線上を運行される交通手段ごとに各リンクの運行時刻、所要時間がリンクコストのデータとして加えられる。更に、運賃データが加えられ、探索した案内経路の運賃が合わせて案内されるシステムも存在する。
【先行技術文献】
【特許文献】
【００１２】
【特許文献１】特開２００１−１４８０３７号公報
【特許文献２】特開２００１−３１８８８６号公報
【特許文献３】特開２００１−１６５６８１号公報
【発明の概要】
【発明が解決しようとする課題】
【００１３】
前述したＱＲコードなどの二次元コードを用いた情報の提供システムは、通常は不特定多数の利用者に対して提供する画一的な情報である。従って、チケット販売において、上記特許文献２に開示されたシステムを応用した場合、チケットに印刷された二次元コードにより最新の詳細アクセスすることができるようになるが、この詳細情報は、チケット購入者全てを対象とした画一的な情報になる。
【００１４】
すなわち、上記特許文献２に開示されたシステムを用いても、個々のチケット購入者に応じた個別の詳細情報や最適情報を提供することができないという問題点があった。例えば、スポーツの競技場には入場ゲートが複数あり、利用者が選択した観戦位置（座席）により使用する入場ゲートが異なる。このような場合、通常はチケットに座席とともに入場ゲートが印刷される。従って、異なる入場ゲートへの経路案内を万人に共通の詳細情報として提供することはできない。強いて詳細情報として提供するなら、全ての入場ゲートへの経路案内を併記し、利用者に選択させるという方法を採らざるを得ないという問題点がある。
【００１５】
また、大規模なイベントになると多数の参加者が開催時刻にあわせて１つのイベント会場に来場することになり、周辺の交通の混雑が生じる。このような場合、イベントの運営者が個々のチケット購入者に個別の詳細情報として経路や到着時刻が分散するように割り振った情報を提供することによって周辺混雑を制御することが可能になるが、上記特許文献２のシステムではこのような個別の詳細情報を提供することができないという問題点があった。
【００１６】
本願の発明者は上記の問題点を解消すべく種々検討を重ねた結果、チケット販売にナビゲーションシステムを連携させ、チケット販売に際して各チケットの購入者あるいは予約者のイベント会場や施設への推奨到着時刻、推奨経路などの個別詳細情報を、二次元コードなどを用いて個別に提供できるようになせば上記問題点を解消し得ることに想到して本発明を完成するに至ったものである。
【００１７】
すなわち、本発明は上記の問題点を解消することを課題とし、チケット販売に際して各チケットの購入者あるいは予約者のイベント会場や施設への推奨到着時刻、推奨経路をイベント会場側や施設運営者側がコントロールすることにより、会場や施設周辺の混雑をできるだけ分散できるようにしたチケット販売支援機能を有するナビゲーションシステム、経路探索サーバおよび推奨経路案内方法を提供することを目的とするものである。
【課題を解決するための手段】
【００１８】
前記課題を解決するために、本願の請求項１にかかる発明は、
所定の場所で所定の時刻に開催されるイベントに参加するためのチケットを販売するチケット販売サーバと、所望の出発地から目的地までの推奨経路を探索して案内する経路探索サーバと、を含むチケット販売支援機能を有するナビゲーションシステムであって、
チケット販売サーバはチケット販売時に、前記経路探索サーバにチケット情報を送信し、当該チケット情報に基づく推奨到着時刻と推奨目的地とを含む推奨情報の生成を要求する推奨情報要求手段と、当該チケットの購入者または予約者が前記経路探索サーバにアクセスするためのアクセス情報を発行するアクセス情報発行手段と、を備え、
経路探索サーバは、前記チケット情報に基づいて一定数のチケット毎に異なる推奨到着時刻を設定し、該推奨到着時刻と推奨目的地とを含む推奨情報を生成する推奨情報生成手段と、前記アクセス情報に基づいたチケットアクセスを受け付けると、前記推奨情報に基づいて、推奨到着時刻に推奨目的地に到着する推奨経路を探索する経路探索手段と、を備え、
前記推奨情報生成手段が生成した推奨到着時刻と推奨目的地とを含む推奨情報を前記チケット販売サーバに送信し、
前記アクセス情報発行手段は、前記経路探索サーバへのアクセスのためのリンク情報と前記推奨情報を含むアクセス情報を付加したチケットを発行し、
前記経路探索サーバは、前記アクセス情報に基づくチケットアクセスを受け付けると、推奨到着時刻に推奨目的地に到着する推奨経路を探索し、前記推奨経路をアクセス元に案内することを特徴とする。
【００１９】
本願の請求項２にかかる発明は、請求項１にかかるチケット販売支援機能を有するナビゲーションシステムにおいて、前記推奨到着時刻として、一定数の推奨目的地における入場口を有するチケット毎に異なる時刻を設定することを特徴とする。
【００２０】
本願の請求項３にかかる発明は、請求項１または請求項２にかかるチケット販売支援機能を有するナビゲーションシステムにおいて、前記アクセス情報は二次元コードであり、チケットに印刷されることを特徴とする。
【００２１】
本願の請求項４にかかる発明は、請求項１または請求項２にかかるチケット販売支援機能を有するナビゲーションシステムにおいて、前記チケット販売サーバは、チケット販売時に、少なくとも前記経路探索サーバへのアクセスのための予約ＩＤを含むアクセス情報を発行し、前記経路探索サーバに前記予約ＩＤを付加してチケット情報を送信して当該チケット情報に基づく推奨到着時刻と推奨目的地とを含む推奨情報の生成を要求し、
前記経路探索サーバは前記推奨情報生成手段が生成した推奨到着時刻と推奨目的地とを含む推奨情報を前記予約ＩＤに対応付けて推奨情報データベースに記憶し、
前記経路探索サーバは、前記アクセス情報に基づくチケットアクセスを受け付けると、前記予約ＩＤに基づいて該当する推奨到着時刻と推奨目的地とを抽出し、推奨到着時刻に推奨目的地に到着する推奨経路を探索し、該推奨経路をアクセス元に案内することを特徴とする。
【００２２】
また、本願の請求項５にかかる発明は、
所定の場所で所定の時刻に開催されるイベントに参加するためのチケットを販売するチケット販売サーバにネットワークを介して接続され、所望の出発地から目的地までの推奨経路を探索して案内する経路探索サーバであって、
チケット販売サーバはチケット販売時に、前記経路探索サーバにチケット情報を送信し、当該チケット情報に基づく推奨到着時刻と推奨目的地とを含む推奨情報の生成を要求する推奨情報要求手段と、当該チケットの購入者または予約者が前記経路探索サーバにアクセスするためのアクセス情報を発行するアクセス情報発行手段と、を備え、
経路探索サーバは、前記チケット情報に基づいて一定数のチケット毎に異なる推奨到着時刻を設定し、該推奨到着時刻と推奨目的地とを含む推奨情報を生成する推奨情報生成手段と、前記アクセス情報に基づいたチケットアクセスを受け付けると、前記推奨情報に基づいて、推奨到着時刻に推奨目的地に到着する推奨経路を探索する経路探索手段と、を備え、
前記推奨情報生成手段が生成した推奨到着時刻と推奨目的地とを含む推奨情報を前記チケット販売サーバに送信し、
前記アクセス情報発行手段は、前記経路探索サーバへのアクセスのためのリンク情報と前記推奨情報を含むアクセス情報を付加したチケットを発行し、
前記経路探索サーバは、前記アクセス情報に基づくチケットアクセスを受け付けると、推奨到着時刻に推奨目的地に到着する推奨経路を探索し、前記推奨経路をアクセス元に案内することを特徴とする。
【００２３】
本願の請求項６にかかる発明は、請求項５にかかる経路探索サーバにおいて、前記推奨到着時刻として、一定数の推奨目的地における入場口を有するチケット毎に異なる時刻を設定することを特徴とする。
【００２４】
本願の請求項７にかかる発明は、請求項５または請求項６にかかる経路探索サーバにおいて、前記アクセス情報は二次元コードで前記チケットに印刷され、前記経路探索サーバは前記アクセス情報に付加すべき前記推奨情報をチケット販売サーバに送信することを特徴とする。
【００２５】
本願の請求項８にかかる発明は、請求項５または請求項６にかかる経路探索サーバにおいて、前記チケット販売サーバは、チケット販売時に、少なくとも前記経路探索サーバへのアクセスのための予約ＩＤを含むアクセス情報を発行し、前記経路探索サーバに前記予約ＩＤを付加してチケット情報を送信して当該チケット情報に基づく推奨到着時刻と推奨目的地とを含む推奨情報の生成を要求し、
前記経路探索サーバは前記推奨情報生成手段が生成した推奨到着時刻と推奨目的地とを含む推奨情報を前記予約ＩＤに対応付けて推奨情報データベースに記憶し、
前記経路探索サーバは、前記アクセス情報に基づくチケットアクセスを受け付けると、前記予約ＩＤに基づいて該当する推奨到着時刻と推奨目的地とを抽出し、推奨到着時刻に推奨目的地に到着する推奨経路を探索し、該推奨経路をアクセス元に案内することを特徴とする。
【００２６】
また、本願の請求項９にかかる発明は、
チケット販売サーバはチケット販売時に、前記経路探索サーバにチケット情報を送信し、当該チケット情報に基づく推奨到着時刻と推奨目的地とを含む推奨情報の生成を要求する推奨情報要求手段と、当該チケットの購入者または予約者が前記経路探索サーバにアクセスするためのアクセス情報を発行するアクセス情報発行手段と、を備え、
所定の場所で所定の時刻に開催されるイベントに参加するためのチケットを販売するチケット販売サーバにネットワークを介して接続され、所望の出発地から目的地までの推奨経路を探索して案内する経路探索サーバを用いた推奨経路案内方法であって、
前記アクセス情報発行手段が、前記経路探索サーバへのアクセスのためのリンク情報と前記推奨情報を含むアクセス情報を付加したチケットを発行するステップと、
経路探索サーバは、推奨情報生成手段が、前記チケット情報に基づいて一定数のチケット毎に異なる推奨到着時刻を設定し、該推奨到着時刻と推奨目的地とを含む推奨情報を生成して前記チケット販売サーバに送信するステップと、前記アクセス情報に基づいたチケットアクセスを受け付けると、経路探索手段が、前記推奨情報に基づいて、推奨到着時刻に推奨目的地に到着する推奨経路を探索し、該推奨経路をアクセス元に案内するステップを有することを特徴とする。
【００２７】
本願の請求項１０にかかる発明は、請求項９にかかる推奨経路案内方法において、前記推奨到着時刻として、一定数の推奨目的地における入場口を有するチケット毎に異なる時刻を設定することを特徴とする。
【００２８】
本願の請求項１１にかかる発明は、請求項９または請求項１０にかかる推奨経路案内方法において、  前記アクセス情報は二次元コードで前記チケットに印刷され、前記経路探索サーバは前記アクセス情報に付加すべき前記推奨情報をチケット販売サーバに送信するステップを有することを特徴とする。
【００２９】
本願の請求項１２にかかる発明は、請求項９または請求項１０にかかる推奨経路案内方法において、前記チケット販売サーバは、チケット販売時に、少なくとも前記経路探索サーバへのアクセスのための予約ＩＤを含むアクセス情報を発行し、前記経路探索サーバに前記予約ＩＤを付加してチケット情報を送信して当該チケット情報に基づく推奨到着時刻と推奨目的地とを含む推奨情報の生成を要求し、
前記経路探索サーバは、前記推奨情報生成手段が生成した推奨到着時刻と推奨目的地とを含む推奨情報を前記予約ＩＤに対応付けて推奨情報データベースに記憶するステップと、
前記経路探索サーバが、前記アクセス情報に基づくチケットアクセスを受け付けると、経路探索手段が前記予約ＩＤに基づいて該当する推奨到着時刻と推奨目的地とを抽出し、推奨到着時刻に推奨目的地に到着する推奨経路を探索するステップを有し、該推奨経路をアクセス元に案内することを特徴とする。
【発明の効果】
【００３０】
請求項１にかかる発明においては、
チケット販売サーバはチケット販売時に、前記経路探索サーバにチケット情報を送信し、当該チケット情報に基づく推奨到着時刻と推奨目的地とを含む推奨情報の生成を要求する推奨情報要求手段と、当該チケットの購入者または予約者が前記経路探索サーバにアクセスするためのアクセス情報を発行するアクセス情報発行手段と、を備え、
経路探索サーバは、前記チケット情報に基づいて一定数のチケット毎に異なる推奨到着時刻を設定し、該推奨到着時刻と推奨目的地とを含む推奨情報を生成する推奨情報生成手段と、前記アクセス情報に基づいたチケットアクセスを受け付けると、前記推奨情報に基づいて、推奨到着時刻に推奨目的地に到着する推奨経路を探索する経路探索手段と、を備え、
前記推奨情報生成手段が生成した推奨到着時刻と推奨目的地とを含む推奨情報を前記チケット販売サーバに送信し、
前記アクセス情報発行手段は、前記経路探索サーバへのアクセスのためのリンク情報と前記推奨情報を含むアクセス情報を付加したチケットを発行し、
前記経路探索サーバは、前記アクセス情報に基づくチケットアクセスを受け付けると、推奨到着時刻に推奨目的地に到着する推奨経路を探索し、前記推奨経路をアクセス元に案内する。
【００３１】
このような構成によれば、一定数のチケット毎に推奨到着時刻、推奨経路を割り振ることができるので、チケットの購入者あるいは予約者のイベント会場や施設への到着時刻、経路をイベント会場側や施設運営者側がコントロールできるようになる。従って、会場や施設周辺の混雑を分散することができるようになる。
また、チケットを購入した利用者が容易に経路探索サーバにアクセスして、当該チケット情報に応じて割り振られた推奨到着時刻、推奨経路の案内を受けることができるようになる。また、経路探索サーバはチケット情報や推奨到着時刻などの推奨情報を保持する記憶手段やデータベースを備える必要がない。
【００３２】
請求項２にかかる発明においては、請求項１にかかる発明において、推奨到着時刻として、一定数の推奨目的地における入場口を有するチケット毎に異なる時刻を設定するものであるから、イベント会場や施設の入場口ごとに、チケットの予約者のイベント会場や施設への到着時刻、経路をイベント会場側や施設運営者側がコントロールできるようになる。従って、会場や施設周辺の混雑を分散することができるようになる。
【００３３】
請求項３にかかる発明においては、請求項１または請求項２にかかる発明において、前記アクセス情報は二次元コードであり、チケットに印刷されるものであるから、チケットを購入した利用者は、二次元コードを読み取ってリンク情報を操作するだけで、容易に経路探索サーバにアクセスして、当該チケット情報に応じて割り振られた推奨到着時刻、推奨経路の案内を受けることができるようになる。
【００３４】
請求項４にかかる発明においては、請求項１または請求項２にかかる発明において、チケット販売サーバは、チケット販売時に、少なくとも前記経路探索サーバへのアクセスのための予約ＩＤを含むアクセス情報を発行し、前記経路探索サーバに前記予約ＩＤを付加してチケット情報を送信して当該チケット情報に基づく推奨到着時刻と推奨目的地とを含む推奨情報の生成を要求し、前記経路探索サーバは前記推奨情報生成手段が生成した推奨到着時刻と推奨目的地とを含む推奨情報を前記予約ＩＤに対応付けて推奨情報データベースに記憶し、前記経路探索サーバは、前記アクセス情報に基づくチケットアクセスを受け付けると、前記予約ＩＤに基づいて該当する推奨到着時刻と推奨目的地とを抽出し、推奨到着時刻に推奨目的地に到着する推奨経路を探索し、該推奨経路をアクセス元に案内する。
【００３５】
このような構成によれば、チケット販売サーバはチケット予約を決済し、予約ＩＤに経路探索サーバへのアクセス情報を付加するだけでよく、インターネットを通じたチケット販売が可能になる。また、チケット毎に推奨到着時刻、推奨経路を割り振ることができるので、チケットの予約者のイベント会場や施設への到着時刻、経路をイベント会場側や施設運営者側がコントロールできるようになる。従って、会場や施設周辺の混雑を分散することができるようになる。
【００３６】
本願の請求項５ないし請求項８にかかる発明においては、それぞれ本願の請求項１ないし請求項４にかかるナビゲーションシステムを構成する経路探索サーバを提供することができるようになる。また、本願の請求項９ないし請求項１２にかかる発明においては、それぞれ本願の請求項５ないし請求項８にかかる経路探索サーバを用いた推奨経路案内方法を提供することができるようになる。
【図面の簡単な説明】
【００３７】
【図１】本発明の実施例１にかかるチケット販売支援機能を有するナビゲーションシステムの構成を示すシステム構成図である。
【図２】本発明の実施例１にかかるチケット販売支援機能を有するナビゲーションシステムの構成を示すブロック図である。
【図３】イベント会場に関するＰＯＩ情報の構成を示す図である。
【図４】道路ネットワークのデータの概念を示す模式図である。
【図５】交通ネットワークのデータの概念を示す模式図である。
【図６】本発明の実施例１にかかるチケット販売支援機能を有するナビゲーションシステムの処理シーケンスを示すシーケンス図である。
【図７】本発明の実施例２にかかるチケット販売支援機能を有するナビゲーションシステムの構成を示すシステム構成図である。
【図８】本発明の実施例２にかかるチケット販売支援機能を有するナビゲーションシステムの構成を示すブロック図である。
【図９】推奨情報データベースに記憶する推奨情報のデータ構成の一例を示す図である。
【図１０】本発明の実施例１にかかるチケット販売支援機能を有するナビゲーションシステムの処理シーケンスを示すシーケンス図である。
【発明を実施するための形態】
【００３８】
以下、本発明の具体例を実施例及び図面を用いて詳細に説明する。但し、以下に示す実施例は、本発明の技術思想を具体化するためのナビゲーションシステムを例示するものであって、本発明をこのナビゲーションシステムに特定することを意図するものではなく、特許請求の範囲に含まれるその他の実施形態のナビゲーションシステムにも等しく適用し得るものである。
【実施例１】
【００３９】
図１は、本発明の実施例１にかかるチケット販売支援機能を有するナビゲーションシステム１０の構成を示すシステム構成図である。図１に示すようにナビゲーションシステム１０は、インターネットなどのネットワーク１２を介して接続されるチケット販売サーバ５０と経路探索サーバ３０と端末装置２０、２１を備えて構成されている。
このナビゲーションシステム１０においては、チケット販売サーバ５０と経路探索サーバ３０が連携して以下に説明する処理を行う。
【００４０】
先ず、チケット販売サーバ５０は購入者の求めに応じてチケットを販売する。チケットは、イベント会場、劇場、競技場などの施設への入場チケットであり、以下の説明においてはこれらの施設を代表的にイベント会場といい、これらの施設において催される催し事をイベントということとする。チケットにはイベント会場の名称、イベントの開催日時、チケット購入者の座席、その座席に近い入場口などが印刷される。勿論、座席は購入者の求めに応じて決定される。これらの情報はチケット情報としてデータベース５０２に記録され販売管理などに用いられる。代金の決済は現金、クレジットカードなどを用いて行われる。クレジットカードによる決済の場合、クレジットカード会社の決済サーバと連携するように構成してもよい。
【００４１】
チケット販売サーバ５０におけるチケット情報が確定すると、経路探索サーバ３０は、チケット販売サーバ５０からチケット販売時に決定されたチケット情報、すなわち、イベント会場の名称、イベントの開催日時、会場での座席および入場口などの情報を受信し、当該チケット情報に応じた推奨情報、例えば、推奨到着時刻や推奨目的地（入場口）を生成する。
【００４２】
この推奨情報はチケット販売サーバ５０に送られ、チケット販売サーバ５０は推奨情報をＱＲコードなどの二次元コードにコード化し、印刷装置５００により発行するチケット５０３にＱＲコードを印刷する。ＱＲコードには経路探索サーバ３０にリンクするためのリンク情報（ＵＲＬ情報）が記録され、前述の推奨情報がパラメータとして付加される。
【００４３】
チケットを購入した利用者は、パーソナルコンピュータ等の端末装置２０や携帯電話等の端末装置２１を用いてＱＲコードを読み取り、ＱＲコードから読み取ったリンク情報を用いて経路探索サーバ３０にアクセスする。リンク情報にはパラメータとして推奨情報（推奨到着時刻や推奨目的地）が付加されている。経路探索サーバ３０はこの推奨情報から、経路探索の際の目的地を推奨目的地とし、該推奨目的地に推奨到着時刻に到着する推奨経路を探索して端末装置２０や端末装置２１に案内する。
【００４４】
推奨目的地は、チケット購入者がイベント会場や施設において着席する座席に近い入場口であり、推奨到着時刻はイベントの開始時刻を基準にその入場口に到着する推奨時刻である。従って、経路探索サーバ３０が生成する推奨情報を、例えば、一定数のチケット毎に異なる時刻を設定したり、一定数の推奨目的地を有するチケット毎に異なる時刻を設定したりすれば、多数のチケット購入者のイベント会場への到着時刻を意図的に分散することができるようになる。また、入場口（推奨目的地）毎にチケット購入者のイベント会場への到着時刻を意図的に分散することができるようになる。
【００４５】
このような経路探索サーバ３０（ナビゲーションサービス）によるチケット販売支援機能を用いれば、イベントの運営者が個々のチケット購入者に固有の詳細情報を発行することができ、多数のイベント参加者の会場への経路や到着時刻をコントロールすることができるようになる。従って、イベント会場周辺の混雑を分散することができ、不測の事故発生の危険を回避することができるようになる。
【００４６】
以下、具体例に基づいて本発明の実施例１にかかるチケット販売支援機能を有するナビゲーションシステム１０を説明するが、その前に本発明にかかるナビゲーションシステム１０の詳細な構成を説明する。図２は、図１のナビゲーションシステム１０の詳細な構成を示す図である。
【００４７】
チケット販売サーバ５０は、制御手段５０１、通信手段５１、推奨情報要求手段５２、予約・販売手段５３、アクセス情報発行手段５４、チケット印刷手段５５、表示手段５６、操作入力手段５７を備えて構成されている。
【００４８】
一方、経路探索サーバ３０は、制御手段３０１、通信手段３１、推奨情報要求記憶手段３２、推奨情報生成手段３３、地図データベース３４、経路探索用ネットワークデータベース３５、ＰＯＩ情報データベース３６、チケットアクセス受け付け手段３８、経路探索手段３９を備えて構成されている。
【００４９】
チケット販売サーバ５０において、制御手段５０１は、図示してはいないがＲＡＭ、ＲＯＭ、プロセッサを有するマイクロプロセッサであり、ＲＯＭに格納された制御プログラムにより各部の動作を制御する。通信手段５１はネットワーク１２を介して経路探索サーバ３０などと通信データを送受信するための通信インターフェースである。
【００５０】
予約・販売手段５３はチケット購入者の求めに応じてチケットを販売する。チケットの販売にあたっては、イベント会場の名称、イベントの開催日時、チケット購入者の座席、その座席に近い入場口などが決定される。操作入力手段５７から購入者の求めに応じて決定された座席番号が入力される。これらの情報はチケット情報としてデータベース５０２に記録され販売管理などに用いられる。
【００５１】
推奨情報要求手段５２は予約・販売手段５３で決定されたチケット情報を経路探索サーバ３０に送り、推奨情報の生成を要求する。アクセス情報発行手段５４は、チケットに経路探索サーバ３０にアクセスするためのリンク情報をＱＲコードにコード化する。チケット印刷手段５５しはチケット情報とＱＲコードにコード化されたアクセス情報とをチケットに印刷する。表示手段５６はチケット販売サーバ５０のモニター画像などの表示を行うものである。
【００５２】
ＱＲコードに記録されるリンク情報（ＵＲＬ情報）には、推奨情報要求手段５２による要求に基づいて経路探索サーバ３０が生成した推奨情報がパラメータとして付加される。推奨情報は、後述するように、チケット販売時に決定されたチケット情報、すなわち、イベント会場の名称、イベントの開催日時、会場での座席および入場口などの情報を経路探索サーバ３０が受信し、当該チケット情報に応じて推奨情報生成手段３３により生成される推奨到着時刻や推奨目的地（入場口）を示す情報である。
【００５３】
経路探索サーバ３０において、制御手段３０１は、図示してはいないがＲＡＭ、ＲＯＭ、プロセッサを有するマイクロプロセッサであり、ＲＯＭに格納された制御プログラムにより各部の動作を制御する。通信手段３１はネットワーク１２を介してチケット販売サーバ５０や端末装置２０、２１などと通信データを送受信するための通信インターフェースである。
【００５４】
推奨情報要求記憶手段３２は、チケット販売サーバ５０からチケット情報とともに送信された推奨情報要求を記憶する。推奨情報生成手段３３は推奨情報要求記憶手段３２に記憶された推奨情報要求中のチケット情報に基づいてチケット情報に応じた推奨到着時刻と推奨目的地を含む推奨情報を生成する。推奨目的地はチケット情報中のイベント会場の入場口を示す位置情報であり、推奨到着時刻は推奨目的地への推奨する到着時刻である。この推奨情報は、例えば、一定数のチケット毎に異なる時刻を設定したり、一定数の推奨目的地を有するチケット毎に異なる時刻を設定したりするものである。
【００５５】
例えば、推奨到着時刻は、イベント会場の奥の座席を持つチケット情報から順に早い到着時刻を設定すれば、イベント会場の奥から順に参加者が入場するようにコントロールできる。この推奨情報はチケット販売サーバ５０に送信され、前述したＱＲコードに記録するリンク情報（経路探索サーバ３０にアクセスするためのリンク情報）にパラメータとして付加され、ＱＲコードはチケットに印刷される。チケット購入者は端末装置２０や端末装置２１でチケットに印刷されたＱＲコードを読み取り、リンク情報を操作して経路探索サーバ３０にアクセスすることができる。
【００５６】
チケットアクセス受け付け手段３８は、このリンク情報に基づく端末装置２０や端末装置２１からのアクセスを受け付け、リンク情報に付加されている推奨情報を抽出する。経路探索手段３９はチケットアクセス受け付け手段３８が抽出した推奨情報のうち推奨目的地を経路探索のための目的地として設定し、また、推奨到着時刻を目的地への到着時刻として目的地までの推奨経路を探索する。経路探索にあたり出発地を設定する必要があるが、出発地は経路探索サーバ３０から端末装置２０や端末装置２１に問い合わせて設定させればよい。経路探索手段３９が探索した推奨経路は、端末装置２０や端末装置２１に送られ、チケット購入者に経路案内を提供する。
【００５７】
経路探索サーバ３０は通常の経路案内のため、経路探索用ネットワークデータベース３５、地図データベース３４を備え、また、各種の興味対象場所（ＰＯＩ：Ｐｏｉｎｔ  ｏｆ  Ｉｎｔｅｒｅｓｔ）の情報をＰＯＩ情報データベース３６に蓄積している。これらのデータベースの情報は、ネットワーク１２を介して図示されていないＰＯＩ情報配信サーバや他の情報配信サーバから取得して追加することができる。また、同様にしてＰＯＩ情報配信サーバや他の情報配信サーバに所望の検索要求を送信して所望の検索結果を取得することもできる。
【００５８】
経路探索サーバ３０は個々のチケット情報に基づいてそれに応じた推奨到着時刻、推奨目的地を含む推奨情報を生成するため、図３に示すＰＯＩ情報をチケット販売サーバ５０から取得し、ＰＯＩ情報データベース３６に記憶しておく。図３に示すＰＯＩ情報はイベント会場Ａに関する情報を例示しており、イベント会場の入場口ａ〜入場口ｎについてその位置情報（例えば、会場周辺の道路リンクに接続される入り口ノード番号、あるいは緯度・経度など）、各入場口から入場する座席数、各座席の座席番号などの情報で構成される。
【００５９】
推奨情報生成手段３３はチケット毎のチケット情報（イベント開催時刻、入場口、座席番号）に基づいて図３に示すようなイベント会場毎のＰＯＩ情報を参照すれば、各チケットに応じた推奨目的地、推奨到着時刻を生成することができる。推奨到着時刻の決定の方法は、前述したように、一定数のチケット毎に異なる時刻を設定したり、一定数の推奨目的地を有するチケット毎に異なる時刻を設定したりすればよい。例えば、チケット数１００毎に１０分間隔で異なる時刻を設定する。なお、このイベント会場に関するＰＯＩ情報は、推奨情報要求を受信する際にチケット販売サーバ５０から取得する構成とすることもできる。
【００６０】
次に、経路探索サーバ３０における経路探索の方法について説明する。歩行者ナビゲーションシステムやカーナビゲーションシステムにおける経路探索のための道路ネットワークデータは以下のように構成されている。例えば、道路が図４に示すように道路Ａ、Ｂ、Ｃからなる場合、道路Ａ、Ｂ、Ｃの端点、交差点、屈曲点などをノードとし、各ノード間を結ぶ道路を有向性のリンクで表し、ノードデータ（ノードの緯度・経度）、リンクデータ（リンク番号）と各リンクのリンクコスト（リンクの距離またはリンクを走行するのに必要な所要時間）をデータとしたリンクコストデータとで構成される。
【００６１】
すなわち、図４において、Ｎｎ（○印）、Ｎｍ（◎印）がノードを示し、Ｎｍ（◎印）は道路の交差点を示している。各ノード間を結ぶ有向性のリンクを矢印線（実線、点線、２点鎖線）で示している。リンクは、道路の上り、下りそれぞれの方向を向いたリンクが存在するが、図４では図示を簡略化するため矢印の向きのリンクのみを図示している。
【００６２】
このような道路ネットワークのデータを経路探索用のデータベースとして経路探索を行う場合、出発地のノードから目的地のノードまで連結されたリンクをたどりそのリンクコストを累積し、累積リンクコストの最少になる経路を探索して案内する。すなわち、図４において出発地をノードＡＸ、目的地をノードＣＹとして経路探索を行う場合、ノードＡＸから道路Ａを走行して２つ目の交差点で右折して道路Ｃに入りノードＣＹにいたるリンクを順次たどりリンクコストを累積し、リンクコストの累積値が最少になる経路を探索して案内する。
【００６３】
図４ではノードＡＸからノードＣＹに至る他の経路は図示されていないが、実際にはそのような経路が他にも存在するため、ノードＡＸからノードＣＹに至ることが可能な複数の経路を同様にして探索し、それらの経路のうちリンクコストが最少になる経路を最適経路として決定するものである。この手法は、例えば、ダイクストラ法と呼ばれる周知の手法によって行われる。
【００６４】
これに対して、交通機関の経路探索のための交通ネットワークデータは以下のように構成されている。例えば、図５に示すように交通路線Ａ、Ｂ、Ｃからなる場合、各交通路線Ａ、Ｂ、Ｃに設けられた各駅（航空機の路線においては各空港）をノードとし、各ノード間を結ぶ区間を有向性のリンクで表し、ノードデータ（緯度・経度）、リンクデータ（リンク番号）をネットワークデータとしている。図５において、Ｎｎ（○印）、Ｎｍ（◎印）がノードを示し、Ｎｍ（◎印）は交通路線の乗り継ぎ点（乗換え駅など）を示し、各ノード間を結ぶ有向性のリンクを矢印線（実線、点線、２点鎖線）で示している。リンクは、交通路線の上り、下りそれぞれの方向を向いたリンクが存在するが、図５では図示を簡略化するため矢印の向きのリンクのみを図示している。
【００６５】
しかしながら、交通ネットワークは道路ネットワークと比べリンクコストが基本的に異なる。すなわち、道路ネットワークではリンクコストは固定的、静的なものであったが、交通ネットワークでは、図５に示すように交通路線を運行する列車や航空機（以下個々の列車や航空機などの各経路を交通手段と称する）が複数ある。各交通手段毎にあるノードを出発する時刻と次のノードに到着する時刻とが定まっており（時刻表データ、運行データで規定される）、かつ、個々の経路が必ずしも隣接するノードにリンクしない場合がある。例えば、急行と各駅停車の列車のような場合である。このような場合には同じ交通路線上に異なる複数のリンクが存在することになり、またノード間の所要時間が交通手段により異なる場合もある。
【００６６】
図５に例示する交通ネットワークにおいては、交通路線Ａの同じリンクに複数の交通手段（経路）Ａａ〜Ａｃ・・・、交通路線Ｃに複数の交通手段（経路）Ｃａ〜Ｃｃ・・・が存在することになる。従って、交通機関の運行ネットワークは、単純な道路ネットワークと異なり、ノード、リンク、リンクコストの各データは交通手段（個々の航空機や列車などの経路）の総数に比例したデータ量になる。このため交通ネットワークのデータは道路ネットワークのデータ量に比べて膨大なデータ量になる。従って、それに応じて、経路探索に要する時間も多くの時間が必要になる。
【００６７】
このような交通ネットワークデータを用いて、ある出発地からある目的地までの経路を探索するためには、出発地から目的地まで到達する際に使用（乗車）できる全ての交通手段を探索して探索条件に合致する交通手段を特定する必要がある。
【００６８】
例えば、図５において、出発地を交通路線ＡのノードＡＸとしてある特定の出発時刻を指定して、交通路線ＣのノードＣＹを目的地とする経路探索を行う場合、交通路線Ａ上を運行する交通手段Ａａ〜Ａｃ・・・のうち出発時刻以降の全ての交通手段を順次出発時の経路として選択する。そして交通路線Ｃへの乗り継ぎノードへの到着時刻に基づいて、交通路線Ｃ上を運行する各交通手段Ｃａ〜Ｃｃ・・・のうち、乗り継ぎノードにおいて乗車可能な時刻以降の交通手段の全ての組み合わせを探索して各経路の所要時間や乗り換え回数などを累計して案内することになる。
【００６９】
次に、図６の処理シーケンス図を参照して実施例１にかかるナビゲーションシステム１０における処理手順を説明する。ステップＳＴ１の処理において、チケット購入者がチケット販売サーバ５０に所望のイベントに参加するためチケット購入を行う。
【００７０】
チケット販売サーバ５０は購入者の求めに応じて座席等を決定しチケット情報が確定すると、シーケンスＳＱ１において、経路探索サーバ３０にこのチケット情報とともに推奨情報要求を送信する。チケット情報には、イベント会場、イベント開催日時、入場口などの情報が含まれる。経路探索サーバ３０は推奨情報要求を受信すると、ステップＳＴ２の処理において推奨情報生成手段３３はチケット情報に応じた推奨目的地、推奨到着時刻を含む推奨情報を生成し、シーケンスＳＱ２においてこの推奨情報をチケット販売サーバ５０に送信する。
【００７１】
チケット販売サーバ５０は経路探索サーバ３０から推奨情報を受信すると、シーケンスＳＱ３においてチケットを印刷する。この時、経路探索サーバ３０にアクセスするためのアクセス情報をＱＲコードとしてチケットに印刷する。このアクセス情報は経路探索サーバ３０へのリンク情報であり、推奨情報をパラメータとして付加したものである。
【００７２】
このチケットを受取ったチケット購入者はステップＳＴ３の処理において、端末装置２０を用いてチケットに印刷されたアクセス情報であるＱＲコードを読み取る。そしてシーケンスＳＱ４において、ＱＲコードから読み取ったリンク情報を操作して経路探索サーバ３０にアクセス（リンク）する。
【００７３】
端末装置２０から前述のリンク情報に基づくチケットアクセスがあると、経路探索サーバ３０はステップＳＴ４の処理において経路探索手段３９は推奨目的地を経路探索の目的地とし、推奨到着時刻を目的地への到着時刻とし経路探索条件を設定し、推奨経路を探索する。そして経路探索サーバ３０は、シーケンスＳＱ５において、探索した推奨経路のデータを端末装置２０に送り、イベント会場への推奨経路を案内する。
【実施例２】
【００７４】
以上説明した本発明の実施例１にかかるチケット販売支援機能を有するナビゲーションシステムは、チケット販売サーバ５０がチケットを印刷して発行する構成であったが、チケットを印刷することなく、クレジットカード決済により代金決済した後、予約ＩＤを発行するインターネット販売システムにおいても実施例１と同様の処理を行うことができる。
【００７５】
図７は、このようなインターネットによるチケット販売を行うシステムを用いた本発明の実施例２にかかるナビゲーションシステム１０の構成を示す図である。このシステムの構成は基本的には図１に示す実施例１の構成と同様であるが、図７のシステムにおいては、チケット販売サーバ３０が端末装置２０や端末装置２１からインターネットなどのネットワーク１２を介してチケットの販売を行う点で相違している。
【００７６】
また、図７のチケット販売サーバ５０はチケットを印刷せず、チケットを購入した端末装置２０や２１に予約ＩＤを発行する点で相違している。この予約ＩＤには経路探索サーバ３０へのアクセスのためのリンク情報がアクセス情報として付加される。また、経路探索サーバ３０は、推奨情報データベース３７を備えておりチケット販売サーバ３０が要求した推奨情報を記憶する点で相違している。
【００７７】
すなわち、経路探索サーバ３０がチケット販売サーバ５０からチケット情報と予約ＩＤとを含む推奨情報要求を受信し、推奨情報を生成すると、予約ＩＤに対応付けて推奨情報データベース３７に記憶する。経路探索サーバ３０は端末装置２０からリンク情報を操作してチケットアクセスがあると、推奨情報データベース３７から該当する予約ＩＤに対応する推奨情報を読み出す。
【００７８】
経路探索サーバ３０は推奨情報データベース３７から読み出した推奨情報に基づいて、推奨目的地を経路探索の目的地とし、推奨到着時刻を目的地への到着時刻として推奨経路を探索し、端末装置２０に探索した推奨経路を案内する。すなわち、この実施例２にかかるナビゲーションシステム１０は、チケット販売時に発行される予約ＩＤに基づいて生成した推奨情報を経路探索サーバ３０が記憶しておき、端末装置２０からチケットアクセスがあると予約ＩＤをキーにして推奨情報を読み出して推奨経路を探索して案内する点が実施例１と異なるものである。
【００７９】
図８は、このような実施例２にかかるナビゲーションシステム１０の構成を示すブロック図である。このナビゲーションシステム１０は基本的には図２のナビゲーションシステム１０の構成と同様であるが、経路探索サーバ３０が推奨情報データベース３７と推奨情報検索手段３７１を備えた点が実施例１と異なる。
【００８０】
図８に示す実施例２にかかるナビゲーションシステム１０においては、チケット販売サーバ５０から予約ＩＤを含むチケット情報に基づいた推奨情報要求を受信すると、経路探索サーバ３０は、推奨情報生成手段がチケット情報に基づいて推奨目的地、推奨到着時刻を含む推奨情報を生成し、予約ＩＤと対応付けて推奨情報データベース３７に推奨情報を記憶する。この推奨情報要求にはチケット購入者の個人情報を含む必要は無く、予約ＩＤとチケット情報のみでよい。
【００８１】
図９は、推奨情報データベース３７に記憶される推奨情報のデータ構成を示す図である。図９に示すように、推奨情報生成手段３３がチケット情報に基づいて生成した推奨情報は、予約ＩＤに対応して記憶される。各予約ＩＤごとに推奨到着時刻と推奨目的地が記憶されるが、推奨目的地は、各予約ＩＤに該当のチケットの予約販売において決定された座席に近い入場口とその位置情報である。
【００８２】
そして経路探索サーバ３０は、端末装置２０から予約ＩＤを含むチケットアクセスがあると、推奨情報検索手段３７１は予約ＩＤを検索キーとして推奨情報データベース３７を検索し、当該予約ＩＤに該当する推奨情報を読み出し、経路探索手段３９は、その推奨情報に基づいて、推奨目的地を経路探索の目的地とし、目的地への到着時刻を推奨到着時刻として推奨経路を探索する。そして探索の結果得られた推奨経路を端末装置２０に案内する。
【００８３】
図１０は、以上説明した実施例２のナビゲーションシステム１０の処理シーケンスを示すシーケンス図である。先ず、シーケンスＳＱ１１でチケット購入者が端末装置２０を用いてチケット販売サーバ５０にアクセスし、所望のイベントに参加するためチケット購入野予約を行う。
【００８４】
チケット販売サーバ５０は購入者の求めに応じて座席等を決定しチケット情報を確定する。そして代金決済が完了すると予約ＩＤを発行してチケット予約が完了する。チケットの予約が完了すると、チケット販売サーバ５０はシーケンスＳＱ１２において、端末装置に予約ＩＤと経路探索サーバ３０へのアクセスのためのリンク情報を含むアクセス情報を送信する。
【００８５】
また、チケット販売サーバ５０はシーケンスＳＱ１３で経路探索サーバ３０に予約ＩＤとチケット情報を含む推奨情報要求を送信する。チケット情報には、イベント会場、イベント開催日時、入場口などの情報が含まれる。チケット販売サーバ５０から推奨情報要求を受信した経路探索サーバ３０はステップＳＴ１１の処理において推奨情報生成手段３３がチケット情報に応じた推奨目的地、推奨到着時刻を含む推奨情報を生成し、ステップＳＴ１２の処理において予約ＩＤと対応付けて推奨情報を推奨情報データベース３７に記憶する（図９参照）。
【００８６】
一方、シーケンスＳＱ１４でチケット購入者はチケット販売サーバ５０から受信したアクセス情報（経路探索サーバ３０へのリンク情報と予約ＩＤ）に基づいて、端末装置２０から経路探索サーバ３０にアクセスする。経路探索サーバ３０は、端末装置２０からアクセス情報に基づくチケットアクセスを受け付けると、推奨情報検索手段３７１は予約ＩＤをキーにしてステップＳＴ１３の処理において推奨情報データベース３７を検索し、該当する推奨情報を読み出す。
【００８７】
次いで、経路探索手段３９は推奨情報検索手段３７１が推奨情報データベース３７から読み出した推奨情報に基づいて、ステップＳＴ１４の処理において推奨目的地を経路探索の目的地とし、目的地への到着時刻を推奨時刻として推奨経路を探索する。そして経路探索サーバ３０はシーケンスＳＱ１５で経路探索手段３９が探索した推奨経路のデータを端末装置２０に送り、イベント会場への推奨経路を案内する。
【００８８】
なお、このナビゲーションシステム１０において、チケット販売サーバ５０は複数あってもよく、その場合、予約ＩＤにチケット販売サーバ５０の識別子を付加するなどして予約ＩＤが重ならないようにルールを決めておけば、複数のチケット販売サーバから経路探索サーバ３０は上記の推奨情報要求を受け付けることができる。
【００８９】
この実施例２のシステムによれば、経路探索サーバ３０側に、推奨到着時刻、推奨目的地を含む推奨情報が予約ＩＤごと保存されているので、推奨情報の修正も可能である。例えば、繰り返し行われるイベントに対し、チケットごとに推奨到着時刻を割り振った結果、混雑がひどいとか、特定の場所が混む傾向にある等などの状況をフィードバックして次のイベントでは推奨到着時刻や推奨目的地の割り振りを修正することも可能である。
【００９０】
また、稀ではあるが、予定したイベント会場が変更になった場合も予約ＩＤはそのままで、推奨情報データベース３７の記憶内容を変更することで対処することも可能である。これらの場合、同じ予約ＩＤに対応する情報を上書きすることで前述の修正に対応することができる。
【００９１】
以上、詳細に説明したように本発明のチケット販売支援機能を有するナビゲーションシステムによれば、チケット販売に際して各チケットの購入者あるいは予約者のイベント会場や施設への推奨到着時刻、推奨経路をイベント会場側や施設運営者側がコントロールすることにより、会場や施設周辺の混雑をできるだけ分散できるようになる。
【産業上の利用可能性】
【００９２】
本発明によれば、大規模なイベントにおいて主催者側が多数のイベント参加者に、参加者毎の座席や入場口などのチケット情報に応じてそれぞれ異なるイベント会場への到着時刻などを推奨することができ、イベント会場周辺の混雑緩和を図ることができる。
【符号の説明】
【００９３】
１０・・・・ナビゲーションシステム
１２・・・・ネットワーク
３０・・・・経路探索サーバ
３０１・・・制御手段
３１・・・・通信手段
３２・・・・推奨情報要求記憶手段
３３・・・・推奨情報生成手段
３４・・・・地図データベース
３５・・・・経路探索用ネットワークデータベース
３６・・・・ＰＯＩ情報データベース
３８・・・・チケットアクセス受け付け手段
３９・・・・経路探索手段
５０・・・・チケット販売サーバ
５０１・・・制御手段
５１・・・・通信手段
５２・・・・推奨情報要求手段
５３・・・・予約・販売手段
５４・・・・アクセス情報発行手段
５５・・・・チケット印刷手段
５６・・・・表示手段
５７・・・・操作入力手段
【図１】
2011043507.tif 000003
【図２】
2011043507.tif 000004
【図３】
2011043507.tif 000005
【図４】
2011043507.tif 000006
【図５】
2011043507.tif 000007
【図６】
2011043507.tif 000008
【図７】
2011043507.tif 000009
【図８】
2011043507.tif 000010
【図９】
2011043507.tif 000011
【図１０】
2011043507.tif 000012